【事件の表示】
　平成　７年特許願第２９４６９７号「易開封用包装材料、それを使用した易開封性包装用袋および易開封性包装体」拒絶査定不服審判事件〔平成　９年　４月２８日出願公開、特開平　９−１１００７２〕について、次のとおり審決する。
【結　論】
　本件審判の請求は、成り立たない。
【理　由】
１　手続の経緯
　本願は、平成７年１０月１８日の出願であって、平成１７年８月２９日付けで拒絶査定がなされ、これに対し、平成１７年１０月７日に拒絶査定に対する審判請求がなされるとともに、平成１７年１０月２８日に手続補正がなされたものである。
　
２　平成１７年１０月２８日にした手続補正（以下、「本件手続補正」という。）についての補正却下の決定
〔補正却下の決定の結論〕
　本件手続補正を却下する。
〔理由〕
（１）補正後の本願発明
　本件手続補正により、明細書の特許請求の範囲の請求項１は、
「【請求項１】少なくとも、内層がヒ−トシ−ル性を有する低密度ポリエチレン、線状低密度ポリエチレンまたはエチレン−酢酸ビニル共重合体のフィルムであり、中間層が遮光性とバリア−性に優れたアルミニウム箔であり、外層が強度に優れた二軸延伸ポリエステルフィルムまたは二軸延伸ポリアミドフィルムである積層体からなり、かつ該強度に優れた二軸延伸ポリエステルフィルムまたは二軸延伸ポリアミドフィルムに、包装体になったときの最適開封位置に相当する箇所に炭酸ガスレ−ザ−による開封用切れ目を刻設してなる易開封用包装材料を、その内層の面を対向させて重ね合わせ、更にその周辺端部をヒ−トシ−ルしてシ−ル部を設けた易開封性包装用袋からなり、更にその開口部から使い捨てカメラを充填包装し、その開口部をシ−ルしてなることを特徴とする易開封性使い捨てカメラ包装体。」
と補正された。
　上記補正は、補正前の請求項１に記載された発明を特定する事項である「内層がヒ−トシ−ル性を有する樹脂のフィルム」を「内層がヒ−トシ−ル性を有する低密度ポリエチレン、線状低密度ポリエチレンまたはエチレン−酢酸ビニル共重合体のフィルム」と限定し、同発明を特定する事項である「中間層が遮光性とバリア−性に優れた基材」を「中間層が遮光性とバリア−性に優れたアルミニウム箔」と限定し、同発明を特定する事項である「外層が強度に優れたフィルム」を「外層が強度に優れた二軸延伸ポリエステルフィルムまたは二軸延伸ポリアミドフィルム」と限定し、同発明を特定する事項である「開封用切れ目を刻設」を「炭酸ガスレ−ザ−による開封用切れ目を刻設」と限定するものであり、これらの限定した事項は、願書に最初に添付した明細書又は図面に記載されている。しかも、補正後の請求項１に記載された発明と補正前の請求項１に記載された発明の産業上の利用分野及び解決しようとする課題が異なるものではない。
　したがって、上記補正は、平成１４年改正前特許法第１７条の２第４項第２号に規定する特許請求の範囲の減縮を目的とするものに該当する。
　そこで、本件手続補正後の上記請求項１に記載された事項により特定される発明（以下、「本願補正発明」という。）が、特許出願の際独立して特許を受けることができるものであるか（平成１８年改正前特許法第１７条の２第５項において準用する同法第１２６条第５項の規定に適合するか）について、以下に検討する。
　
（２）引用例の記載事項　
　本願の出願前に頒布された刊行物である特開平７−１３２９６８号公報（以下、「引用例１」という。）には、次の記載がある。
　ａ「【請求項１】縁部を有する硬い内容物を包装する易開封性包装体において、前記包装体はプラスチックの延伸フィルムからなる外層とヒートシール性を有するプラスチックの内層とを積層した包材からなり、前記包材の前記外層には前記内容物の縁部に当たる位置に微細な傷が設けられており、もって前記包装体をねじることにより容易に引き裂くことができることを特徴とする易開封性包装体。」
　ｂ「【０００６】…本発明の目的は、ねじることにより容易に開封することができるとともに、低コストで製造できる易開封性包装体を提供することである。」
　ｃ「【０００９】【実施例】本発明を添付図面を参照して以下詳細に説明する。図１及び図２は、本発明の易開封性包装体の典型的な例であるピロー包装体の斜視図及び平面図である。
【００１０】ピロー包装体１は、内容物を収容する本体部１１と、本体部１１の両端に設けられた２つのシール部１２ａ、１２ｂとからなり、両者の中央には背貼り部３が延在している。一方のシール部１２ａにはフッキング機能を有する孔部１３が設けられている。包装体１には、各長手方向稜線１４に沿って予め微細な傷２が設けられている。内容物としては、硬くて縁部を有するものであればその形状は限定されず、例えば、直方体、円柱体等の形状を有するものが好ましい。
【００１１】図３に示すように、このような形状の内容物４を収容した包装体１をねじった場合、内容物４の縁部は本体部１１の長手方向稜線１４に沿った微細な傷２に最も強く当たる。図３の例の場合、本体部１１を左手で固定した状態で、右手でシール部１２ａを回転させているので、長手方向稜線１４の上端部１４ａ（最も応力が集中する）から包装体１は裂け始める。図中Ｓはその裂け目を示す。一旦裂け目Ｓができると、その裂け目Ｓは瞬時に本体部１１を一周し、包装体１は二つに割れる。この動作を次々に繰り返せば、順次内容物４を取り出すことができる。」
　ｄ「【００１５】次に、包材の各層について、詳細に説明する。外層５は、プラスチック製の一軸延伸又は二軸延伸フィルムからなる。…延伸プラスチックフィルムの厚さは、５〜５０μｍが好ましい。
【００１６】配向性を有する延伸プラスチックフィルムとしては、ポリオレフィンタイプ、ポリアミドタイプ…等がある。…
【００１７】内層６は、シール部１２ａ、１２ｂ及び背貼り部３のヒートシールをするために、ヒートシール性を有するプラスチック樹脂から形成する。ヒートシール性を有するプラスチック樹脂としては、例えば低密度ポリエチレン、線状飽和低密度ポリエチレン、エチレン−酢酸ビニル共重合体…等が挙げられる。内層６の厚さは１５〜５０μｍが好ましい。
【００１８】内容物によっては遮光性やバリヤ性を有する必要があるが、その場合には図５に示すように、外層５と内層６との間にアルミニウム等のバリヤ層７を設けるのが好ましい。バリヤ層７の厚さは５〜３０μｍが好ましい。…」
　ｅ「【００２２】以下の具体的実施例により本発明をさらに詳細に説明する。
実施例１
配向性を有する厚さ２５μｍのポリプロピレン製二軸延伸フィルムの所定の位置（包装体とした時に長手方向稜線となる位置に相当）に、約１５０μｍの直径で貫通する傷を約５００　個／ｃｍ２　の密度に形成した。
【００２３】この微細な傷を有する延伸フィルム（ＰＰ）に、厚さ２０μｍに押し出した低密度ポリエチレン（ＰＥ）と、厚さ７μｍのアルミ箔（Ａｌ）と、厚さ４０μｍに押し出した低密度ポリエチレン（ＰＥ）とを、ＰＰ／ＰＥ／Ａｌ／ＰＥの順に積層し、包材を形成した。この包材から、図１に示すピロー包装体を形成した。なお、この包装体には４個の直方体状の内容物を収容した。
【００２４】この包装体１を図３に示すようにねじったところ、長手方向稜線１４の上端部に裂け目Ｓが生じ、これが瞬時に本体部の横方向に走って、包装体は容易に開封することができた。」
　ｆ「【００２５】【発明の効果】以上詳述した通り、本発明の易開封性包装体には、内容物の縁部が当たる位置に微細な傷が設けられているため、ねじるだけで容易に開封することができる。このような易開封性包装体は、硬い内容物を順次取り出せるように包装するのに好適であり、特にアウトドアや旅行で使用したりする製品、例えば使い捨てカメラやフィルム等を包装するのに好適である。」
　そして、図１には、端部にシール部１２ａ、１２ｂを設けたピロータイプの包装用袋が図示されている。
　以上の記載並びに図１、図３及び図５によれば、引用例１には次の発明が記載されていると認められる。
「少なくとも、内層がヒートシール性を有する低密度ポリエチレンのフィルムであり、中間層が遮光性やバリヤ性を有するアルミ箔であり、外層が二軸延伸ポリアミドフィルムである積層体からなり、二軸延伸ポリアミドフィルムに、包装体になったとき内容物の縁部に当たる位置に微細な傷を設けた包材をシールして端部にシール部を設けたピロータイプの包装用袋からなり、包装用袋の中に使い捨てカメラを充填包装した、易開封性使い捨てカメラ包装体。」
　
（３）対比　　　　　　　　　　　　　　　　　　
　本願補正発明と引用例１記載の発明とを対比する。
　本願補正発明における外層を構成する二軸延伸ポリアミドフィルムは、強度に優れたフィルムとして本願明細書（段落【００１１】）に例示されているものであるから、引用例１記載の発明の外層を構成する「二軸延伸ポリアミドフィルム」は、本願補正発明の「強度に優れた二軸延伸ポリアミドフィルム」に相当する。
　そして、引用例１記載の発明における微細な傷が設けられた「内容物の縁部に当たる位置」は、そこから包装体が裂けて開封される（上記記載ｃ、ｅ参照。）から、本願補正発明の「最適開封位置に相当する箇所」に相当し、引用例１記載の発明の「微細な傷」は、本願補正発明の「開封用切れ目」に相当する。
　また、引用例１記載の発明の「包材」及び「包装用袋」は、外層に微細な傷が設けられていることにより、包装体を易開封性となすものであるから、それぞれ本願補正発明の「易開封用包装材料」及び「易開封性包装用袋」に相当する。
　さらに、引用例１記載の発明におけるピロータイプの包装用袋が、包材の内層の面を対向させて重ね合わせ、更にその周辺端部をヒ−トシ−ルしてシ−ル部を設けたものであることは、当業者にとって明らかである。
　そうすると、両者は、
「少なくとも、内層がヒ−トシ−ル性を有する低密度ポリエチレンのフィルムであり、中間層が遮光性とバリア−性に優れたアルミニウム箔であり、外層が強度に優れた二軸延伸ポリアミドフィルムである積層体からなり、かつ該強度に優れた二軸延伸ポリアミドフィルムに、包装体になったときの最適開封位置に相当する箇所に開封用切れ目を刻設してなる易開封用包装材料を、その内層の面を対向させて重ね合わせ、更にその周辺端部をヒ−トシ−ルしてシ−ル部を設けた易開封性包装用袋からなり、使い捨てカメラを充填包装した易開封性使い捨てカメラ包装体。」
である点で一致し、次の点で相違する。
　相違点１
　本願補正発明では、炭酸ガスレ−ザ−による開封用切れ目を刻設してなるのに対して、引用例１記載の発明では、いかなる手段により開封用切れ目を刻設してなるのか言及がない点。
　相違点２
　本願補正発明では、その（包装用袋の）開口部から使い捨てカメラを充填包装し、その開口部をシ−ルしてなるのに対して、引用例１記載の発明では、どのようにして包装用袋へ使い捨てカメラを充填包装するのか言及がない点。
　
（４）相違点の検討　
　そこで、上記各相違点について検討する。
《相違点１について》
　包装体の外層に炭酸ガスレ−ザ−を利用して開封用切れ目を刻設することは、本願の出願前に周知の技術（例えば、実願昭５８−１９９５３２号（実開昭６０−１１０２６９号）のマイクロフィルム、実願昭６１−１９００３２号（実開昭６３−９４１６７号）のマイクロフィルム、実願平３−４５７６０号（実開平５−６６６号）のＣＤ−ＲＯＭ等参照。）であるから、引用例１記載の発明において、開封用切れ目を刻設する手段として上記周知の技術を採用して、相違点１に係る本願補正発明の事項とすることは、当業者が容易に想到し得たことである。
《相違点２について》
　包装材料を重ね合わせ周辺端部をヒ−トシ−ルしてシ−ル部を設けた包装用袋を用いる包装体の製造において、包装用袋の開口部から被包装物を充填包装し、その開口部をシ−ルして包装体とすることは慣用技術であり、相違点２に係る本願補正発明の事項は、引用例１記載の発明に慣用技術を単に付加したにすぎないものである。
　
　そして、本願補正発明が奏する効果も、引用例１記載の発明及び周知の技術から当業者が予測できたものであり、格別顕著なものとはいえない。　
　したがって、本願補正発明は、引用例１記載の発明及び周知の技術に基いて、当業者が容易に発明をすることができたものであるから、特許法第２９条第２項の規定により、特許出願の際独立して特許を受けることができないものである。
　
（５）まとめ
　以上のとおり、本件手続補正は、平成１８年改正前特許法第１７条の２第５項において準用する同法第１２６条第５項の規定に違反するものであり、特許法第１５９条第１項において読み替えて準用する同法第５３条第１項の規定により却下されるべきものである。
　
３　本願発明について
（１）本願発明
　上記のとおり、本件手続補正は却下されたので、本願の請求項１及び２に係る発明は、平成１７年７月２７日にした手続補正により補正された明細書の特許請求の範囲の請求項１及び２に記載された事項により特定されるものと認められるところ、請求項１は次のとおり記載されている。
「【請求項１】少なくとも、内層がヒ−トシ−ル性を有する樹脂のフィルムであり、中間層が遮光性とバリア−性に優れた基材であり、外層が強度に優れたフィルムである積層体からなり、かつ該強度に優れたフィルムに、包装体になったときの最適開封位置に相当する箇所に開封用切れ目を刻設してなる易開封用包装材料を、その内層の面を対向させて重ね合わせ、更にその周辺端部をヒ−トシ−ルしてシ−ル部を設けた易開封性包装用袋からなり、更にその開口部から使い捨てカメラを充填包装し、その開口部をシ−ルしてなることを特徴とする易開封性使い捨てカメラ包装体。」
（以下、請求項１に係る発明を、「本願発明１」という。）
　
（２）引用例の記載事項
　原査定の拒絶の理由に引用された、本願の出願前に頒布された刊行物である特開平６−２４４６２号公報（以下、「引用例ア」という。）には、次の記載がある。
　ｇ「【０００１】【産業上の利用分野】この発明は、易開封性の包装袋に用いて袋の開封を極めて容易に、かつ円滑ならしめる包装用積層フィルムおよび、その積層フィルムの製造に用いて好適な積層フィルムへの引裂線の形成方法に関するものである。」
　ｈ「【０００５】【課題を解決するための手段】この発明の包装用積層フィルムは、少なくとも一層の合成樹脂層を含む積層フィルムであって、その合成樹脂層に、連続線状に延在して、深さが交互に深浅となる引裂線を形成したものである。
【０００６】また、かかる積層フィルムのための引裂線の形成方法は、積層フィルムとレーザビームとの相対運動の下で、その積層フィルムに対するレーザビームの照射によって、積層フィルムの少なくとも一層に、連続してのびる引裂線を形成する……」
　ｉ「【０００７】【作用】この発明の、包装用積層フィルムでは、引裂線を連続線状に形成することから、包装袋の開封に要する引裂力を十分小ならしめてなお、袋の裂け目の進行方向を、連続的に正確に誘導することができ、また、その連続線状の引裂線に交互に深部および浅部を形成することによって、破線状をなす引裂線と同様、包装袋の引張強度を高めるとともに、加熱された被包装物の充填その他に当っての、引裂線形成位置での袋の伸びを有効に防止することができ、さらには、引裂線の幅ならびに、深部および浅部のそれぞれの深さの選択によって、袋のガスバリアー性その他を容易にコントロールすることができる。」
　ｊ「【００１０】【実施例】以下にこの発明の実施例を図面に基づいて説明する。図１はこの発明の実施例を、引裂線に沿った断面にて示す断面図であり、この例の積層フィルム１は、ベースフィルム層２、中間層３および熱融着層４の三層の熱可塑性合成樹脂からなる。ここでは、かかる積層フィルム１のベースフィルム層２に、所定の幅をもって連続線状に延在して、深さが交互に深浅となる引裂線５を、好ましくは、レーザビームの照射エネルギーによる、そのベースフィルム層２の溶融蒸発によって形成する。…」
　ｋ「【００１７】……
◎フィルム構成　　ベースフィルム層を１５μｍ　厚みの二伸延伸ナイロンフィルム、中間層を３０μｍ厚みのＰＥ（ポリエチレン）、熱融着層を３０μｍ　厚みのＥＶＡ（エチレン酢酸ビニル）とした積層フィルム
◎発明積層フィルム　　上記フィルム構成の下で、ベースフィルム層に、幅が４００μｍの連続線状引裂線を形成し、深部および浅部のそれぞれの長さを０．５〜１．５ｍｍの範囲で変化させるとともに、深部の深さを７μｍ　もしくは２０μｍとし、浅部の深さを３μｍ　としたもの……」
　以上の記載及び図１によれば、引用例アには次の発明が記載されていると認められる。
「少なくとも、熱融着層がＥＶＡ（エチレン酢酸ビニル）フィルムであり、中間層がポリエチレンフィルムであり、ベースフィルム層が二伸延伸ナイロンフィルムである積層体からなり、ベースフィルム層に、レーザービームの照射による溶融蒸発によって引裂線を形成した易開封性の包装用積層フィルムを製袋した易開封性包装袋からなり、被包装物を充填包装した易開封性包装体。」
（３）対比
　本願発明１と引用例ア記載の発明とを対比する。
　引用例ア記載の発明の「熱融着層」、「ＥＶＡ（エチレン酢酸ビニル）フィルム」、「レーザービームの照射による溶融蒸発によって引裂線を形成」、「易開封性の包装用積層フィルム」及び「易開封性包装袋」は、それぞれ本願発明１の「内層」、「ヒ−トシ−ル性を有する樹脂のフィルム」、「開封用切れ目を刻設」、「易開封用包装材料」及び「易開封性包装用袋」に相当する。
　そして、本願発明１における外層を構成する二軸延伸ポリアミドフィルムは、強度に優れたフィルムとして本願明細書（段落【００１１】）に例示されているものであるから、引用例ア記載の発明の外層を構成する「二伸延伸ポリアミドフィルム」は、本願発明１の「強度に優れたフィルム」に相当する。
　そして、引用例ア記載の発明の「引裂線」は、袋の開封を極めて容易に、かつ円滑ならしめる（上記記載ｇ参照。）ために形成されるものであるから、包装体になったときの最適開封位置に相当する箇所に形成されていると認められる。
　そうすると、両者は、
「少なくとも、内層がヒ−トシ−ル性を有する樹脂のフィルムであり、外層が強度に優れたフィルムである積層体からなり、かつ該強度に優れたフィルムに、包装体になったときの最適開封位置に相当する箇所に開封用切れ目を刻設してなる易開封用包装材料を用いた易開封性包装用袋からなり、被包装物を充填包装した易開封性包装体」
である点で一致し、次の点で相違する。
　相違点１
　本願発明１では、中間層が遮光性とバリア−性に優れた基材であるのに対して、引用例ア記載の発明では、中間層がポリエチレンフィルムである点。　相違点２
　本願発明１では、易開封性包装用袋が、包装材料を、その内層の面を対向させて重ね合わせ、更にその周辺端部をヒ−トシ−ルしてシ−ル部を設けた包装用袋であるのに対して、引用例ア記載の発明では、易開封性包装用袋が、包装材料を用いてどのようになされた包装用袋であるのか言及がない点。
　相違点３
　本願発明１は、その（包装用袋の）開口部から使い捨てカメラを充填包装し、その開口部をシ−ルしてなる易開封性使い捨てカメラ包装体であるのに対して、引用例ア記載の発明は、被包装物及びその充填包装手段が特定されていない易開封性包装体である点。　
　
（４）相違点の検討
　そこで、上記相違点１ないし３について検討する。
相違点１について
　本願発明１では、中間層が遮光性とバリア−性に優れた基材であるが、包装材料の積層構造の中間層にアルミニウム箔のような遮光性とバリアー性に優れた基材を使用することは、本願の出願前に周知の技術（例えば、引用例１、特公平７−１３８０号公報、特開平４−３３９７７７号公報等参照。）であり、包装用袋の積層フィルムの中間層に遮光性とバリア−性に優れた基材を用いることは当業者が容易になし得ることにすぎない。
　
相違点２について
　本願発明１では、易開封性包装用袋が、包装材料を、その内層の面を対向させて重ね合わせ、更にその周辺端部をヒ−トシ−ルしてシ−ル部を設けた包装用袋であるが、このような袋の製造手段は包装用袋の通常の製造方法を単に記載したものにすぎず、当業者が容易になし得ることにすぎない。
　
相違点３について
　本願発明１では、開口部から使い捨てカメラを充填包装し、その開口部をシ−ルしてなる易開封性使い捨てカメラ包装体であるが、易開封性の包装体に使い捨てカメラを充填包装することは周知の事項であるし、また包装用袋の開口部から被包装物を充填包装し、その開口部をシ−ルして包装体とすることも、周知の包装の手順を単に記載したものにすぎないから（例えば、特開平４−３３９７７７号公報等参照。）、このようなことは当業者が容易になし得ることにすぎない。
　
　そして、本願発明１が奏する効果も、引用例ア記載の発明及び周知の技術から当業者が予測できたものであり、格別顕著なものとはいえない。　
　本願発明１は、引用例ア記載の発明及び周知の技術に基いて、当業者が容易に発明をすることができたものである。
　
（４）むすび
　したがって、本願発明１は、特許法第２９条第２項の規定により特許を受けることができないものであり、他の請求項に係る発明について検討するまでもなく、本願は拒絶されるべきものである。
　よって、結論のとおり審決する。